(57)【要約】【課題】  オゾンガスの漏洩対策に関連する改良。【解決手段】  被処理液体Ｐが通される容器１内に、紫外線ランプ５収納する透光性のランプ保護管４が配置される。保護管４の一端が容器１から露出する部分において、該保護管４の一端からその内部にアクセスしうるように、開閉可能なカバー部６が設けられる。カバー部６の所定箇所に漏れ液体排出用のドレーン部８が設けられ、該ドレーン部８において、カバー部６からの漏れ液体排出は許すが、気体の流通は阻止する弁装置１０が設けられる。これによって、漏れ液体をドレーン部８から排出することができるが、カバー部６内に漏出したオゾンガスは該ドレーン部８から外部に漏出されない。【選択図】  図２
2007268497.tif 000002
【特許請求の範囲】
【請求項１】
被処理液体が通される容器と、
前記容器内に配置された透光性のランプ保護管であって、該保護管の外側で前記被処理液体に接するものと、
前記ランプ保護管内に収納される紫外線ランプと、
前記ランプ保護管の一端が前記容器から露出する部分において、該ランプ保護管の一端からその内部にアクセスしうるように設けられる、開閉可能なカバー部と、
前記カバー部の所定箇所に設けられた漏れ液体排出用のドレーン部と、
前記ドレーン部において、前記カバー部からの漏れ液体排出は許すが、気体の流通は阻止する弁装置と
を具備する紫外線液体処理装置。
【請求項２】
前記弁装置は、常時は閉鎖していて、前記カバー部からの漏れ液体の圧力によって開放される弁構造を有する請求項１に記載の紫外線液体処理装置。
【請求項３】
前記弁装置は、常時は閉鎖していて、前記カバー部に溜まった漏れ液体の浮力によって開放される弁構造を有する請求項１に記載の紫外線液体処理装置。
【請求項４】
前記容器は、密閉型の管路からなり、前記カバー部は、前記管路の一端側に設けられたものである請求項１乃至３のいずれかに記載の紫外線液体処理装置。
【請求項５】
前記容器内に複数の前記ランプ保護管が配置される請求項１乃至４のいずれかに記載の紫外線液体処理装置。
【請求項６】
前記紫外線ランプは、２２０ｎｍ以下の波長の紫外線を発光しうるものである請求項１乃至５のいずれかに記載の紫外線液体処理装置。
【発明の詳細な説明】
【技術分野】
【０００１】
本発明は、紫外線照射により被処理液体中の微量有機物の酸化分解あるいは難分解性有機物の分解等の液体処理を行う紫外線液体処理装置に関し、特に、オゾンガスの漏洩対策に関連して改良を施したものに関する。
【背景技術】
【０００２】
紫外線照射により被処理液中の有機物を低減する処理を行う紫外線液体処理装置においては、例えば円筒形容器内に紫外線透過性の保護管（石英ガラス管）を配置し、該保護管内に紫外線ランプを収納し、該容器内に被処理液体を通し、紫外線ランプから発される紫外線が保護管を透過して該容器内の被処理液体に照射されるようにしている。この場合の紫外線ランプとして主には185nm波長の紫外線を発する低圧水銀灯が用いられる。この185nm光は紫外線透過性の保護管を通してその管の外側にある被処理液体に照射され、被処理液体中の有機物を低減させる。低圧水銀灯以外にも中庄水銀灯、高圧水銀灯があるが、220nm以下の紫外線を発するランプであれば同様に液体中の有機物を低減することができる。
【０００３】
185nm波長の紫外線光は酸素をオゾンに変える働きがあるため、この種の紫外線液体処理装置においては、ランプ周辺の空気中の酸素がオゾンに変化されることになる。オゾンは人間にとって悪臭であり、また、作業環境としては0.1ppm未満を確保することが望まれている。そのため、ランプ周辺で発生したオゾンを紫外線液体処理装置から外に漏洩させないようにする工夫がなされている。この種の紫外線液体処理装置においては、円筒形容器の端部においてランプ保護管の一端が露出するようになっており、この部分でランプ保護管内への紫外線ランプ出し入れ等のメンテナンスが行われる。そのために、円筒形容器の端部には、開閉可能なカバー部が構成されていて、メンテナンス時において該カバー部を開いて必要なメンテナンス作業を行い、非メンテナンス時においては該カバー部を閉じておくようにしている。ランプ周辺で発生したオゾンは保護管内から該カバー部内に漏出するので、オゾンが該カバー部から更に処理装置の外部に漏出することのないように、該カバー部が閉鎖時において気密な密封構造となるようにする工夫がなされている。
【発明の開示】
【発明が解決しようとする課題】
【０００４】
円筒形容器の端部に設けられるカバー部は、該容器内の被処理液体の流通路に対して液蜜に構成され、基本的には、容器内の液体が漏洩してこないようになっている。しかし、不測の事態により、容器内の液体がカバー部内に漏洩してくることもありうる。また、そのような不測の事態を考慮した安全対策を講じておくべきである。そのような容器内の液体のカバー部内への漏洩が生じた場合、オゾン対策のためのカバー部の密封構造がかえって仇となり、カバー部内に漏洩した液体が溜まって漏電やランプその他電気・電子制御機器の損傷等の二次被害を招くおそれがある。
【０００５】
本発明は上述の点に鑑みてなされたもので、オゾンガスの漏洩対策に関連して改良を施した紫外線液体処理装置を提供しようとするものである。
【課題を解決するための手段】
【０００６】
本発明に係る紫外線液体処理装置は、被処理液体が通される容器と、前記容器内に配置された透光性のランプ保護管であって、該保護管の外側で前記被処理液体に接するものと、前記ランプ保護管内に収納される紫外線ランプと、前記ランプ保護管の一端が前記容器から露出する部分において、該ランプ保護管の一端からその内部にアクセスしうるように設けられる、開閉可能なカバー部と、前記カバー部の所定箇所に設けられた漏れ液体排出用のドレーン部と、前記ドレーン部において、前記カバー部からの漏れ液体排出は許すが、気体の流通は阻止する弁装置とを具備する。これによって、容器内の液体のカバー部内への漏洩が生じた場合、漏れ液体をドレーン部で排出することができるので、カバー部内に漏洩した液体が溜まって漏電やランプその他電気・電子制御機器の損傷等の二次被害を招くおそれがない。また、ドレーン部に設けた弁装置により、カバー部内に漏出したオゾンガスが該ドレーン部から、処理装置の外部に漏出することが阻止され、オゾンガスの漏洩対策も確保することができる。
【０００７】
一例として、前記弁装置は、常時は閉鎖していて、前記カバー部からの漏れ液体の圧力によって開放される弁構造を有するものであってよい。別の例として、前記弁装置は、常時は閉鎖していて、前記カバー部に溜まった漏れ液体の浮力によって開放される弁構造を有するものであってもよい。
【発明を実施するための最良の形態】
【０００８】
以下、添付図面を参照して本発明の実施の形態を詳細に説明しよう。
図１は、密閉した管路１内に被処理液体Ｐを通して紫外線処理するタイプの紫外線液体処理装置における本発明の一実施例を示す断面略図である。被処理液体Ｐを通す管路（以下、便宜上、密閉管という）１は、その両端がシール部２及び３によって液密に密閉されており、液体入口１ａから取り入れた被処理液体Ｐを管内に通し、液体出口１ｂから排出する。この密閉管１内には、石英ガラス製の透光性のランプ保護管４内に液密に挿入された状態で紫外線ランプ５が配置される。この紫外線ランプ５は、220nm以下、典型的には185nm、の波長の紫外線を発するもので、被処理液体Ｐ中の有機物を分解する機能を発揮する。図1では、図示の簡略化のために、内部に紫外線ランプ５を収納した1個のランプ保護管４だけが設けられるように描かれているが、通常は、1個に限らず、図２及び図３に示すように、密閉管１の断面積に応じて複数のランプ保護管４（及びその内部の紫外線ランプ５）が設けられる。
【０００９】
密閉管１の両端に設けられたカバー部６及び７は、シール部２，３を介して密閉管１の内部空間とは液密に遮断され、かつ、ランプ保護管４の内部空間とは通じた状態である。すなわち、ランプ保護管４の両端はシール部２，３を通り抜けてカバー部６及び７内の空間に臨んでおり、これにより、紫外線ランプ５は、その交換時において、ランプ保護管４の端部から出し入れできるようになっている。カバー部６及び７は公知の構造により（例えば蓋６ａ，７ａの開閉により）任意に開閉自在であり、勿論、紫外線ランプ５の出し入れ等のメンテナンス作業時には、カバー部６及び７が開放される（蓋６ａ，７ａが開かれる）。
【００１０】
カバー部６及び７の下方所定箇所には、漏れ液体排出用のドレーン部８，９が設けられる。上述のように、カバー部６，７は、密閉管１に対して液蜜に構成され、基本的には、管１内の液体Ｐが漏洩してこないようになっている。しかし、不測の事態により、管１内の液体Ｐがカバー部６又は７内に漏洩してくることもありうる。また、そのような不測の事態を考慮して、ドレーン部８，９が設けられており、管１内の液体Ｐのカバー部６又は７内への漏洩が生じた場合、その漏れ液体を該ドレーン部８又は９で自動的に排出することができるようにしている。
【００１１】
ドレーン部８及び９においては、カバー部６，７からの漏れ液体の排出は許すが、気体の流通は阻止する弁装置１０及び１１がそれぞれ設けられている。そのような弁装置１０の一例を示すと図２のようである。この図２に示す弁装置１０は、常時は符号１０ａで示すようにドレーン部８の出口８ａを閉鎖しているが、カバー部６からの漏れ液体がドレーン部８を落下してその出口８ａの方に向かうとき、その圧力（矢印Ａ方向）によって符号１０ａ’で示すように開放される、一種の逆止弁の弁構造を持つものである。１８５ｎｍ波長の紫外線によりランプ保護管４内で発生したオゾンガスがカバー部６，７に漏れ出すが、カバー部６，７は密封構造であるため容易にはそれよりも外部には漏れ出ない。しかし、ドレーン部８及び９を設けたことにより、もし、このドレーン部８及び９が常時開放している構成であるとすると、そこからオゾンガスが漏れ出るので、好ましくない。この点、本発明によれば、図２に示す弁装置１０では、閉鎖位置１０ａの弁は気体の流通は阻止する構造であるので、オゾンガスのドレーン部８からの漏出を防ぐ。すなわち、気体は液体に比べてはるかに軽いので、閉鎖位置１０ａの弁は気体によっては矢印Ａ方向に動かされないようになっている。
【００１２】
図３は、弁装置１０の別の弁構造の一例を示すものである。この図３に示す弁装置１０は、常時はドレーン部８の出口８ａを閉鎖するように配置される浮き玉１０ｂによって構成されている。漏れ液体がドレーン部８の液溜空間８ｂ内にある程度溜まると、浮力によって浮き玉１０ｂを押し上げ、出口８ａを開放し、これによって漏れ液体が出口８ａから外部に排出される。一方、ドレーン部８の液溜空間８ｂに漏れ液体が溜まっていない場合は、浮き玉１０ｂは出口８ａを閉鎖しているので、オゾンガスがドレーン部８から外部に漏れ出ることが阻止される。
【００１３】
なお、図２及び図３は、カバー部６の蓋６ａを外した状態で、長手状の紫外線ランプ５の軸線方向に該カバー部６を見た端面略図であり、複数のランプ保護管４及びその中に挿入配置された紫外線ランプ５の一端が示されている。シール部２の壁面に穿けられた孔にランプ保護管４を固定するシールグランド１２においては液蜜にシールがなされるが、この部分から不測の液漏れが生じるおそれがありうる。その他、シール部２のいずれかの箇所から不測の液漏れが生じるおそれがある。
【００１４】
なお、弁装置１０の弁構造は、図２，図３に示したものに限らず、本願発明の目的を達成しうる構造であれば、どのような構造でもよい。
上記実施例では、カバー部６，７は、密閉管１の両端に設けられているが、一端のみに設けるような設計であっても差し支えない。また、カバー部６，７の構成又は構造はどのようなものであってもよい。
更に、被処理液体Ｐが通される容器は、密閉管１つまり円筒形容器に限らず、どのような構造であってもよい。その場合、カバー部は、該容器内に配置されたランプ保護管４の一端が該容器の壁体から外部に露出する部分において、該ランプ保護管４の一端からその内部にアクセスしうるように設けられる。そして、そのようなカバー部において、本発明に従うドレーン部と弁装置が設けられるようになっていればよい。
【図面の簡単な説明】
【００１５】
【図１】被処理液体を管路に通すタイプの紫外線液体処理装置における本発明の一実施例を示す側面断面略図。
【図２】同実施例における弁装置の一例を示すカバー部の端面図。
【図３】同実施例における弁装置の別の例を示すカバー部の端面図。
【符号の説明】
【００１６】
１    管路（密閉管）
１ａ    液体入口
１ｂ    液体出口
２，３    シール部
４    ランプ保護管
５    紫外線ランプ
６，７    カバー部
８，９    ドレーン部
１０，１１  弁装置
【図１】
2007268497.tif 000003
【図２】
2007268497.tif 000004
【図３】
2007268497.tif 000005